(57)【要約】      （修正有）【課題】軽量化を図り施工時における取扱性を向上させるとともに施工コストの低廉化が図れ、しかも遮音性及び耐久性の高い遮音板及び遮音壁の構造を提供する。【解決手段】吸音板１０、１１を固定保持する支持部材２０、２１をハニカム構造体ＨＣで補強し、吸音板１０，１１は、コンクリート中に化学処理により中和化及び鉱物化つまり無機質化した木材片を含む材料で構成されており、吸音板１０，１１を固定保持する支持部材２０，２１及びハニカム構造体ＨＣが強化プラスチック、エンジニアリング・プラスチック、スーパーエンジニアリング・プラスチック、炭素繊維或いは薄型鋼板やアルミ板などのいずれか、或いはこれらが複合的に使用されて構成される。【選択図】図１
2015055103.tif 000002
【特許請求の範囲】
【請求項１】
コンクリート中に骨材として中和化及び鉱物化した木材片を含む吸音板と、該吸音板を固定保持する支持部材を有し、該支持部材の囲繞空間によって画定形成された三次元空間内にハニカム構造体が装填保持されている事を特徴とする遮音板。
【請求項２】
コンクリート中に骨材として中和化及び鉱物化した木材片を含む吸音板と、該吸音板を固定保持する支持部材を有し、該支持部材には筋交いの補強構造が施されて成る遮音板において、前記支持部材と筋交いによって画定形成された三次元空間内にハニカム構造体が装填保持されている事を特徴とする遮音板。
【請求項３】
コンクリート中に骨材として中和化及び鉱物化した木材片を含む一対の吸音板と、該一対の吸音板を夫々固定保持する一対の支持部材を有してなり、前記支持部材には筋交いの補強構造が施されて成る遮音板において、前記支持部材及び筋交いによって画定形成された三次元空間内にハニカム構造体が装填保持されている事を特徴とする遮音板。
【請求項４】
前記支持部材及びハニカム構造体が強化プラスチック又は繊維強化プラスチック、又はエンジニアリング・プラスチック又はスーパー・エンジニアリング・プラスチック又は炭素繊維で形成されていることを特徴とする請求項1乃至３に記載の遮音板。
【請求項５】
前記支持部材及びハニカム構造体が薄型鋼板又はアルミ板で形成されていることを特徴とする請求項１乃至３に記載の遮音板。
【請求項６】
コンクリート中に骨材として中和化及び鉱物化した木材片を含む吸音板と、該吸音板を固定保持する支持部材を有し、該支持部材には筋交いの補強構造が施されて成る遮音板において、前記支持部材及び筋交いによって画定形成された三次元空間内にハニカム構造体が装填保持された遮音板を有し、該遮音板が所定の部材に取付けられてなる事を特徴とするを遮音壁構造。
【請求項７】
コンクリート中に骨材として中和化及び鉱物化した木材片を含む一対の吸音板と、該一対の吸音板を夫々固定保持する一対の支持部材を有してなり、前記支持部材には筋交いの補強構造が施されており、前記支持部材及び筋交いによって画定形成された三次元空間内にハニカム構造体が装填保持されており、該一対の遮音板が夫々離間平行に支柱に取付けられている事を特徴とする遮音壁構造。
【請求項８】
請求項６又は７に記載の遮音壁構造において、前記該遮音板が離間平行に配置されて、これにより遮音板間に空隙部が画定されていることを特徴とする請求項６又は７に記載の遮音壁構造。
【請求項９】
請求項６乃至８に記載の遮音壁構造において、前記一対の遮音板が離間平行に並置された状態で固定保持されており、一対の遮音板の吸音板間に画定された空隙で空気層が形成されるとともに、該空隙部内に吸音板の形状に合わせた板材が並置されている事を特徴とする遮音壁構造。
【発明の詳細な説明】
【技術分野】
【０００１】
本発明は、遮音板及びこれを用いた遮音壁構造に関するものであり、詳しくは、高速道路や一般道路の防音壁、電車の沿線や航空機騒音、又地下鉄やトンネル或いは家屋の地下室等の壁、更には、工場や民家等の防音壁やブロック塀等々に多方面で使用される遮音板及び遮音壁構造に関するものである。
【背景技術】
【０００２】
例えば，高速道路では、車の走行に伴って発生する騒音を遮蔽するために、道路の両側に遮音壁を設ける等の遮音構造体が広く採られている。この種の遮音壁としては、従来は例えば、コンクリート板を使用して騒音を道路内側に反射させるもの、或いは特殊な吸音構造を設けて騒音を吸収するもの等が使用されている。
斯かるコンクリート板を遮音板として使用する場合には、その重量が重くならざるを得ず、地震等災害による倒壊の危険が指摘されている。又その重量により施工時における取扱いが難しいといった難点があった。又このコンクリート板では、単に音を道路内側に反射させるだけであるので遮音性が悪いという問題点も指摘されていた。更に、特殊な吸音構造を採用する場合には、遮音板自体の製造工程が複雑になり、製造コストひいては遮音壁の施工費用が高くなるといった問題があった。
【０００３】
そこで斯かる問題点を解決せんとして、下記特許文献１で開示されているような遮音材が提案されている。
【先行技術文献】
【特許文献】
【０００４】
【特許文献１】特開２００１ー２６４７５号公報
【０００５】
即ち、この特許文献１で開示されている遮音板に用いられる遮音材（吸音板）は、コンクリート或いは、軽量コンクリート中に中和化及び鉱物化した木材片を骨材として含ませることから吸音効果が大きく、しかも、製品自体の軽量化が図れることから運搬や施工時における取扱性が向上し、その美観も優れ現在広く高速道路の防音壁等に用いられているところである。
【発明の概要】
【発明が解決しようとする課題】
【０００６】
しかしながら、上記特許文献１で開示された遮音板においても、通常コンクリート製や鉄骨鋼板の支持部材或いは、連結部材に吸音板を保持・連結させるため、どうしても重量が大きくなり、前記問題点を有し解決が望まれていた。
【０００７】
又、支持部材として用いる鉄筋は、経年変化により腐食し、それに遮音板も影響するので施工後の耐久性においても問題があった。更に、支持部材に吸音部材を取付けるものにおいては、該支持部材の強度も高くしておく必要が認められた。
地震・台風等災害の多い我が国においては、この耐久性が高いことは設置する側にあって極めて重要な要望でもある。又、近年、震度の大きい地震等によりブロック塀やコンクリート塀等が倒壊することにより、人の生命が危険に晒された事態が多々あった。
これでは近い将来予測される巨大地震やそれに伴う津波に遮音壁は対応することはできない。といったことが指摘されるに至っている。
【課題を解決するための手段】
【０００８】
本発明は、上記したような従来技術の課題に着目して提案されたもので、全体重量の軽量化を図り、高速道路等での遮音壁施工後の倒壊の危険を防止し、施工や取扱性を向上させるとともに施工コストの低廉化が図れ、遮音・消音効果が優れているとともに景観性が高く、更に、構造的強度の高い遮音壁構造を提供することを目的として提案されたものである。
【０００９】
上記目的を達成するために、本発明の請求項１に記載の遮音板は、コンクリート中に骨材として中和化及び鉱物化した木材片を含む吸音板と、該吸音板を固定保持する支持部材を有し、該支持部材の囲繞空間によって画定形成された三次元空間内にハニカム構造体が装填保持されている事を特徴とする。
【００１０】
請求項２に記載の遮音板は、コンクリート中に骨材として中和化及び鉱物化した木材片を含む吸音板と、該吸音板を固定保持する支持部材を有し、該支持部材には筋交いの補強構造が施されて成る遮音板において、前記支持部材と筋交いによって画定形成された三次元空間内にハニカム構造体が装填保持させる事を特徴とする。
【００１１】
請求項３に記載の遮音板は、 コンクリート中に骨材として中和化及び鉱物化した木材片を含む一対の吸音板と、該一対の吸音板を夫々固定保持する一対の支持部材を有してなり、前記支持部材には筋交いの補強構造が施されて成る遮音板において、前記支持部材及び筋交いによって画定形成された三次元空間内にハニカム構造体が装填保持されている事を特徴とする。
【００１２】
請求項４に記載の遮音板は、 前記支持部材及びハニカム構造体が強化プラスチック又は繊維強化プラスチック、又はエンジニアリング・プラスチック又はスーパー・エンジニアリング・プラスチック又は炭素繊維で形成されていることを特徴とする。
【００１３】
請求項５に記載の遮音板は、 請求項1乃至３に記載の遮音板において、 前記支持部材及びハニカム構造体が薄型鋼板又はアルミ板で形成されていることを特徴とする。
【００１４】
請求項６に記載の遮音壁構造は、 コンクリート中に骨材として中和化及び鉱物化した木材片を含む吸音板と、該吸音板を固定保持する支持部材を有し、該支持部材には筋交いの補強構造が施されて成る遮音板において、前記支持部材及び筋交いによって画定形成された三次元空間内にハニカム構造体が装填保持されている遮音板で構成する事を特徴とする。
【００１５】
請求項７に記載の遮音壁構造は、 コンクリート中に骨材として中和化及び鉱物化した木材片を含む一対の吸音板と、該一対の吸音板を夫々固定保持する一対の支持部材を有してなり、前記支持部材には筋交いの補強構造を施し、前記支持部材及び筋交いによって画定形成された三次元空間内にハニカム構造体が装填保持させ、該一対の遮音板を夫々離間平行に支柱に取付ける事を特徴とする。
【００１６】
請求項８に記載の遮音壁構造は、一対の遮音板が離間平行に配置されて、これにより遮音板間に空隙部を画定することを特徴とする。
【００１７】
請求項９に記載の遮音壁構造は、請求項６乃至８に記載の遮音壁構造において、前記一対の遮音板が離間平行に並置された状態で固定保持されており、一対の遮音板の吸音板間に画定された空隙で空気層を形成し、該空隙部内に吸音板の形状に合わせた板材を並置する事を特徴とする。
【発明の効果】
【００１８】
本発明の遮音板及び遮音壁構造によれば、吸音板を固定保持する支持部材又は該支持部材と筋交い補強材がハニカム構造を有するので、支持部材及び筋交い補強材を強化プラスチックや炭素繊維或いは薄型鋼板やアルミ板で形成しておいても、当該支持部材のフレームとしての剛性が高く、しかも軽量となり、遮音壁を構築する場合の取扱性が容易で、かつこれにより施工の容易な遮音壁構造を提供することができる。
【００１９】
夫々の吸音板を固定保持する支持部材が、補強構造として筋交い構造或いは火打構造、更にはハニカム構造体を有していることから、支持部材の長手方向や板厚方向に対する負荷への強度が増し、より堅牢な遮音壁を構築できる。
又、支持部材又は支持部材と筋交いの囲繞空間にハニカム構造体を装填保持させた事により、支持部材に捻れや撓みなどの縦・横方向の圧力やこれらの合成圧力、引っぱり応力や圧縮応力等の各種の応力や捻れや撓みが加わっても支持部材を強固に維持でき、ひいては遮音板が連接されて構成された遮音壁を強固に維持することが出来る。
【発明を実施するための最良の形態】
【００２０】
以下、本発明を実施するための形態を図面に基づいて説明する。尚、以下の記載においては、遮音板を遮音壁として用いる状態を基準として上下方向を縦方向とし、水平方向を横方向（或いは長手方向）として説明する。
更に、以下の説明においては、吸音板とこれを保持する支持部材（フレーム）、補強材及びこれらを一体的に固定保持する手段を含めて完成されたものを遮音板と称して説明する。そして、遮音板を水平方向に連接して遮音壁を構成する。もっとも、高さの高い遮音壁の場合には垂直方向にも連接する。
【００２１】
この発明の遮音板は、吸音部材たる吸音板１０（１１）と、この吸音板１０（１１）を夫々固定保持するための支持部材２０（２１）を有する。吸音板１０とこれに取付けられる支持部材２０によって第１の遮音板Ｐ１が構成される。又、
吸音板１１とこれに取付けられる支持部材２１によって第２の遮音板Ｐ２が構成される。
【００２２】
第１の遮音板Ｐ１の支持部材２０には、一方の外側の上下には吸音板１０を係合支受させる係合部２０ａ、２０ｂが長手方向に形成されている。この係合部２０ａ、２０ｂに端部側から吸音板１０を挿通させて図示しないボルト・ナット等により吸音板１０を支持部材２０に固定的に取付ける。同様に第２の遮音板Ｐ２の支持部材２１にも一方の外側の上下に吸音板１１を係合支受させる係合部２１ａ、２１ｂが長手方向に形成されている。この係合部２１ａ、２１ｂに端部側から吸音板１１を挿通させて図示しないボルト・ナット等により吸音板１１を支持部材２１に固定的に取付ける。図示において、参照番号２０ｃ及び２１ｃは上記ボルト等の挿通孔である。
【００２３】
第１の遮音板Ｐ１を構成する支持部材２０は額縁状に形成されており、枠の内部には、枠によって画定された三次元空間（空隙部）が形成されており、この三次元空間には、ハニカム構造体ＨＣが装填保持されている。
同様に第２の遮音板Ｐ２を構成する支持部材２１も額縁状に形成されており、枠の内部には、枠によって画定された三次元空間（空隙部）が形成されており、この三次元空間には、同様にハニカム構造体ＨＣが装填保持されている。
図示の例では、三次元空間は長手方向に２分割されているが、このように分割されていなくても良く、又、３つ以上の三次元空間が画定されるものであっても良い。
【００２４】
遮音板Ｐ１及びＰ２は、夫々単体で支柱や金具等に取付けて遮音壁を構成する事も出来るが、図に示したように２枚の遮音板Ｐ１、Ｐ２を離間平行状態に結合させておき、表裏両面外側に吸音板１０、１１を位置させておく。支持部材２０の内側面には、係合突起２０ｘが複数箇所設けられており、他方の支持部材２１の内側面には、前記係合突起２０ｘを挿嵌保持する係合凹部２１ｘが形成されている。図示の点線で示したように係合突起２０ｘと対応する係合凹部２１ｘを合わせて挿嵌固着させる。固着方法は特に、限定されるものではないが、接着剤やネジ等の利用による。
【００２５】
このように２枚の遮音板Ｐ１、Ｐ２を用いて複層的に遮音壁を構成する場合には、係合凹部２１ｘの高さ寸法に応じて両遮音板Ｐ１、Ｐ２の間には空隙部が残るようになっている。この空隙部には別途ゴムや木材、或は他の材料で構成された音の伝播を防ぐ板材を介在させる事も出来る。それにより遮音壁構造としての遮音効果がより一層高まる。
【００２６】
遮音板Ｐ１、Ｐ２の
縦・横・ 厚さの寸法及び外形は、使用環境や使用態様に応じて決定されるもので、各寸法比は、図示のものに限定されるものでない。支持部材も同様であることは云うまでもない。
【００２７】
遮音板Ｐ１、Ｐ２単体、或は一対の遮音板は長手方向に連接して壁構造とするが、この場合には、特に図示しないが別途連結部材を設けておき、長手方向に順次連接して遮音壁を構成する。
【００２８】
遮音板Ｐ１、Ｐ２を構成する支持部材２０、２１（或いは連結部材）及びハニカム構造体ＨＣは、予め所定寸法に強化プラスチックで成形されている。即ち、樹脂と強化材の２つの成分からな複合材料で、かつ繊維で強化されている。引張り強さや弾性率などは、使用場所や大きさ等により任意に設計されるものである。ここで用いられる繊維素材は、特に限定されるものではなく、ガラス繊維、ガラス長繊維、ポリエチレン繊維の他、強度を高く求める場合には、航空機等に用いられるように炭素繊維或いは薄型鋼板やアルミ板を用いるものであっても良い。
【００２９】
吸音板１０、１１は、中和化及び鉱物化した木材片からなり、木削り（ウッドシェービング）等により得たチップ等の木材片（例えば、針葉樹が好適である。）を、化学処理により中和化及び鉱物化つまり無機質化し、これをセメントにて混和し吸音板を形成する。尚この鉱物化等の際には、例えば、木材の腐食や菌の発生の原因となる、木材中に含まれる糖分などの有害成分は、化学処理によって除去又は無機質化されている。よって、腐食に強く耐火性に優れたものである。この吸音板２の材料をはじめその構成など詳しくは、本出願人が先に提示した前記特許文献１に記載している。又、外観の意匠としては例えば、吸音板１０、１１の表面に凹凸の積み石状の模様等（岩肌模様等）を形成しておけば、遮音壁の美的外観が向上する。
【００３０】
吸音板１０、１１の１ブロック単位は、特に限定されるものではないが、一例としては、一般に横寸法が２〜４メートル、縦寸法が５０センチメートル、厚さ寸法が５０〜７０ミリとする。これらの寸法は、用いる場所や環境に応じて適宜調整できることは云うまでもない。支持部材２０、２１の寸法（幅寸法や肉厚寸法等）も剛性、使用態様、使用環境等を考慮して決定されるものである。支持部材の大きさも、この吸音板１０、１１の大きさに合わせて相対的に決定される。
【００３１】
ここで用いる支持部材２０、２１及びハニカム構造体ＨＣの材料としては、薄型鋼板、ステンレス等に代表される鋼材のほか、炭素繊維、ＦＲＰやその他の複合材等で構成しておいても良いことは云うまでもない。いずれにするかは、使用環境、必要性や経費等に応じて決定される。
【００３２】
このような遮音板Ｐ１、Ｐ２をＨ鋼などの支柱に装填して固定保持させるとともに、これらの遮音板Ｐ１、Ｐ２を順次支柱間に装填保持させて遮音壁を構成する。
尚支柱は、鋼材でなくてもコンクリート製等の他の材料から構成されるものであっても良い。遮音板ＰＡの支柱への取り付け方は従来と同様である。
【００３３】
更に、図２に基づいて第２の実施例について説明する。即ち、支持部材３０、３１と補強材として筋交い部３０１、３１１によって画定された空間分割された三次元空間に、この空間寸法と同一寸法に成形されたハニカム構造体ＨＣを装填保持させておくものである。これにより支持部材に３０、３１に捻れや撓みなどの縦・横方向の圧力やこれらの合成圧力、引っぱり応力や圧縮応力等の各種の応力や捻れや撓み等外圧が加わっても支持部材を強固に維持でき、ひいては遮音板が連接されて構成された遮音壁を強固に維持することが出来る。
【００３４】
上記説明においては、ハニカム構造体を装填する支持部材３０、３１等に筋交い部３０１，３１１が形成されたものについて応用することとして説明したが、本発明は、これに限定されるものではなく、補強構造として火打構造のものにも適用できるものであることは云うまでもない。
【００３５】
ハニカム構造体ＨＣの材料としては、支持部材と同質にするが特に限定されるものではなく、ハニカム構造が構成できるものであれば特に限定されない。使用環境、使用態様等によって決定される事項である。
【００３６】
更に、ハニカム構造体ＨＣは、多層構造所謂サンドイッチ構造のものであっても良い。
【００３７】
このようにハニカム構造体ＨＣ自体の材料は、特に限定されるものではなく、強化プラスチック、繊維強化プラスチック、エンジニアリングプラスチック或は、スーパーエンジニアリングプラスチック、炭素繊維等の軽量材料、薄型鋼板やアルミ板などが好ましい。
【００３８】
又、このようにハニカム構造体ＨＣが支持部材内部に存在する場合には、吸音板を内側から全体的に支受できるので、外部から内部へ向けて力が加わっても吸音板の損壊等を最小限に防ぐことが出来る。又、ハニカム構造は正六角形の空間が維持できるので、防音（消音・遮音）効果を減少させることがなく、寧ろ、その効果を一層高める事が認められる。
【００３９】
上記各実施例おいては、遮音板Ｐ１とＰ２、Ｐ３とＰ４を夫々組み合わせた後に支柱等に固定的に取り付けることとしたが、上記した本発明の遮音壁構造においては、これに限定されるものではなく、各遮音板Ｐ１、Ｐ２、Ｐ３、Ｐ４を夫々長手方向に相互に一体的に連結させることなく、特に、図に示して説明はしないが、これらの各遮音板Ｐ１、Ｐ２、Ｐ３、Ｐ４を直接支柱等に固定的に取り付けておくことも出来ることはいうまでもない。この場合は、当該支柱等及びネジ等が遮音板構成部同士を相互に固定的に連結させる連結部材となる。
【産業上の利用可能性】
【００４０】
吸音板を装填保持する支持部材を中抜けで且つ筋交い構造や火打構造とし、更に、内部にハニカム構造体が装填保持されているので、支持部材に縦横方向、これらの合成方向、捻れ等に対する力が加わっても強度がより一層増すこととなる。
上記したような遮音壁への遮音板の取り付け施工に際しては、コンクリート製の支柱や鋼鉄等の金属製の杭状の支柱間に、順次遮音板を係合させて遮音壁を構成させていくものであるが、本発明の遮音板を用いる際には、特に、施工性の向上を図るものであることから、遮音板を係止保持する支柱等を強化プラスチックや炭素繊維或いは薄型鋼板やアルミ板で成形されたもの等で構成しておけば、更なる軽量化により一層の施工性の改善となる。
【００４１】
更に、本発明の遮音壁構造においては、上記軽量化及び取扱の容易性に加えて２枚の遮音板とその間の空気層により、一層の消音・遮音効果を得ることができ高速道路等の公共事業や民間の需要の増大が見込まれる。
【図面の簡単な説明】
【００４２】
【図１】第１の発明の遮音板の第１の実施形態を示す一部切欠き分解状態斜視図。
【図２】第１の発明の遮音板の第２の実施形態を示す一部切欠き分解状態斜視図。
【符号の説明】
【００４３】
１０、１１・・・吸音板
２０、２１、３０、３１・・・支持部材
３０１、３１１・・・支持部材の筋交い部
ＨＣ・・・ハニカム構造体
Ｐ１、Ｐ２、Ｐ３、Ｐ４・・・遮音板
【図１】
2015055103.tif 000003
【図２】
2015055103.tif 000004